(57)【要約】【課題】  ジャイロセンサを備えたリモコン等の端末において、ユーザの操作性を向上させる。【解決手段】  少なくとも一軸の方向キーに対する操作入力を検出可能な操作入力部（方向キー）と、動作検出デバイスの動きを検出可能な動き検出部（ジャイロセンサ）と、前記操作入力部で検出された操作入力、及び前記動作検出部で検出された動きに応答して所定の処理を行う制御部と、を備え、前記制御部は、前記操作入力部が第１方向の方向キーの操作入力を検出した場合には、前記動き検出部が前記第１方向以外に対応した動きを検出した場合であっても、当該検出された動きに対応した処理を禁止することを特徴とする情報処理装置を提供する。【選択図】  図１
2015114780.tif 000002
【特許請求の範囲】
【請求項１】
少なくとも一軸の方向キーに対する操作入力を検出可能な操作入力部と、
動作検出デバイスの動きを検出可能な動き検出部と、
前記操作入力部で検出された操作入力、及び前記動き検出部で検出された動きに応答して所定の処理を行う制御部と、を備え、
前記制御部は、前記操作入力部が第１方向の方向キーの操作入力を検出した場合には、前記動き検出部が前記第１方向以外に対応した動きを検出した場合であっても、当該検出された動きに対応した処理を禁止する
ことを特徴とする情報処理装置。
【請求項２】
操作入力を検出可能な操作入力部と、
動作検出デバイスの動きを検出可能な動き検出部と、
前記操作入力部で検出された操作入力、及び前記動き検出部で検出された動きに応答して所定の処理を行う制御部と、を備え、
前記制御部は、前記操作入力部がいずれかの操作入力を検出した場合には、前記動き検出部がいずれかの動きを検出した場合であっても、当該検出された動きに対応した処理を禁止する
ことを特徴とする情報処理装置。
【発明の詳細な説明】
【技術分野】
【０００１】
本発明の一態様は、ジャイロセンサを搭載した情報処理装置等に関する。
【背景技術】
【０００２】
近年、ジャイロセンサを搭載したリモコン（リモートコントローラ）が開発されている。このようなリモコンでは、従来のキー操作だけではなく、リモコン本体をユーザが振ることで、対象機器を操作することができる。ただし、このようなジャイロセンサによるリモコン本体の動き検出による操作はその精度が十分ではないなどの理由から、操作性に課題がある場合がある。このような、ジャイロセンサ搭載リモコンの操作性を向上させるため、例えば特許文献１には、画像のスクロール方向を垂直軸方向または水平軸方向に偏らせる技術について、開示されている。
【先行技術文献】
【特許文献】
【０００３】
【特許文献１】特開２０１０−１５２７６１
【発明の概要】
【発明が解決しようとする課題】
【０００４】
しかしながら、特許文献１に記載された技術を含む従来の技術では、操作性が十分に良いとはいえず、ユーザが意図しないポインタやカーソルの移動などの誤操作が実行されてしまう場合があった。
【０００５】
本発明は、このような課題を解決するためになされたものであり、その目的のひとつは、ジャイロセンサを備えたリモコン等の端末において、ユーザの操作性を向上させることである。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一手段は、
少なくとも一軸の方向キーに対する操作入力を検出可能な操作入力部（入力キー２３０）と、
動作検出デバイスの動きを検出可能な動き検出部（ジャイロセンサ２５０）と、
前記操作入力部で検出された操作入力、及び前記動作検出部で検出された動きに応答して所定の処理を行う制御部（メインプロセッサ２１０）と、を備え、
前記制御部は、前記操作入力部が第１方向の方向キーの操作入力を検出した場合には、前記動き検出部が前記第１方向以外に対応した動きを検出した場合であっても、当該検出された動きに対応した処理を禁止する（Ｓ５４０）
ことを特徴とする情報処理装置である。
【０００８】
本手段によれば、ユーザがジャイロセンサを利用した操作で、第１方向にカーソルまたはポインタを連続して移動させる操作を行う場合にも、第１方向の逆方向または別の方向にカーソルまたはポインタが移動する誤操作を招くことなく、操作することが可能となる。これにより、ユーザの操作性を向上させることができる。
【０００９】
本発明の一手段は、
操作入力を検出可能な操作入力部（入力キー２３０）と、
動作検出デバイスの動きを検出可能な動き検出部（ジャイロセンサ２５０）と、
前記操作入力部で検出された操作入力、及び前記動作検出部で検出された動きに応答して所定の処理を行う制御部（メインプロセッサ２１０）と、を備え、
前記制御部は、前記操作入力部がいずれかの操作入力を検出した場合には、前記動き検出部がいずれかの動きを検出した場合であっても、当該検出された動きに対応した処理を禁止する（Ｓ５４０）
ことを特徴とする情報処理装置である。
【００１０】
本手段によれば、一時的にジャイロセンサを利用した操作を停止することが可能となり、ユーザの操作性を向上させることができる。
【図面の簡単な説明】
【００１１】
【図１】本発明のリモコンを含むシステム構成を示す図。
【図２】実施形態１における映像出力部の表示の一例を示す図。
【図３】リモコンの外観を示す図。
【図４】ポインタの移動処理を示すフローチャート。
【図５】実施形態１におけるユーザ操作によるポインタ移動の例を示す図。
【図６】比較例におけるユーザ操作によるポインタ移動の例を示す図。
【図７】実施形態２における映像出力部の表示の一例を示す図。
【図８】カーソルの移動処理を示すフローチャート。
【図９】ポインタの移動処理を示すフローチャート。
【発明を実施するための形態】
【００１２】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）システム構成
（２）ポインタ移動処理
（３）比較例
（４）実施形態１の特長
２．実施形態２
３．実施形態３
４．補足事項
【００１３】
＜１．実施形態１＞
まず、本発明の実施形態１について、図１乃至図６を参照しながら説明する。なお、実施形態１の発明の効果の説明のために、図６を参照しながら比較例を説明している。
【００１４】
＜（１）システム構成＞
図１は、本実施形態の、リモコンを含むシステムの構成を示す図である。図１に示すように、本実施形態のシステムは、映像出力装置１０及びリモコン２０を含んで構成される。一例としては、映像出力装置１０はＴＶであり、リモコン２０はこのＴＶを操作するための、ジャイロセンサを搭載したリモコンである。
【００１５】
＜映像出力装置１０＞
映像出力装置１０は、メインプロセッサ１１０、無線通信部１２０、映像出力部１３０、及びメモリ１４０を含んで構成される。
【００１６】
＜メインプロセッサ１１０＞
メインプロセッサ１１０は、無線通信部１２０、映像出力部１３０、及びメモリ１４０を制御可能に構成される。メインプロセッサ１１０は、無線通信部１２０がリモコン２０から受信した信号に基づいて各種処理を実行し、その結果を映像出力部１３０に出力可能に構成される。メインプロセッサ１１０は、例えば受信した放送信号を復調及び復号して映像出力部１３０に表示するための処理を実行したり、メモリ１４０に格納されたアプリケーションソフトを実行して、実行結果を映像出力部１３０に表示したりする機能を備える。メインプロセッサ１１０が実行可能な具体的な処理については後述する。
【００１７】
＜無線通信部１２０＞
無線通信部１２０は、リモコン２０の無線通信部２２０からの無線信号を受信して、受信した無線信号をメインプロセッサ１１０に出力可能に構成される。
【００１８】
＜映像出力部１３０＞
映像出力部１３０は、ＬＣＤまたは有機ＥＬディスプレイなどであって、メインプロセッサ１１０からの指示及び入力信号に基づいて、画像または映像を表示可能に構成される。
【００１９】
＜メモリ１４０＞
メモリ１４０は、各種情報を記憶可能に構成される。例えば、メモリ１４０は、受信する放送信号のチャネル情報、または実行可能なアプリケーションソフトのプログラムを記憶可能に構成されている。
【００２０】
＜リモコン２０＞
リモコン２０は、メインプロセッサ２１０、無線通信部２２０、入力キー２３０、メモリ２４０、及びジャイロセンサ２５０を含んで構成される。
【００２１】
＜メインプロセッサ２１０＞
メインプロセッサ２１０は、入力キー２３０またはジャイロセンサ２５０からの入力信号に応答して、所定の処理を実行し、無線通信部２２０から映像出力装置１０に対して無線信号を出力する指示を実行可能に構成される。メインプロセッサ２１０は、例えばユーザが表示する放送チャネルを変更するよう入力キー２３０を操作した際に、かかる操作に応答して、放送チャネルを変更するよう指示する無線信号を送信するよう、無線通信部２２０に指示するなどの処理を実行する。メインプロセッサ２１０が実行可能な具体的な処理については後述する。
【００２２】
＜無線通信部２２０＞
無線通信部２２０は、メインプロセッサ２１０の指示に基づいて、所定の無線信号を映像出力装置１０に送信可能に構成される。
【００２３】
＜入力キー２３０＞
入力キー２３０は、複数のキー（ボタン）を備え、これらのキーに対するユーザの操作を検出し、検出した操作入力信号をメインプロセッサ２１０に出力可能に構成される。入力キー２３０は、例えば一軸または二軸の方向キーを備える。例えば、一軸の方向キーとは、左右または上下の方向キーであり、二軸の方向キーとは、上下左右の方向キーである。
【００２４】
＜メモリ２４０＞
メモリ１４０は、各種情報を記憶可能に構成される。例えば、メモリ２４０は、ユーザによって設定されたリモコンの設定などを記憶することができる。
【００２５】
＜ジャイロセンサ２５０＞
ジャイロセンサ２５０は、角速度センサを備えており、このセンサにより検出された角速度の情報をメインプロセッサ２１０に出力可能に構成される。すなわち、ユーザがリモコン２０に与えた動き（変位）を検出し、所定の信号をメインプロセッサ２１０に出力可能に構成される。
【００２６】
＜映像出力部１３０の表示＞
図２は、映像出力部１３０の表示の一例を示す図である。図２に示すように、映像出力部１３０には、例えば、複数のアイコン３１０、及び現在選択中のアイコン３１０を指し示すポインタ３２０が表示される。ただし、この映像出力部１３０の表示はメニュー表示であり、これ以外にも、受信した放送チャネルの内容表示画面、及び実行中のアプリケーションソフトの実行結果を表示する画面などがある。
【００２７】
＜リモコン２０の外観＞
図３は、リモコン２０の外観を示す図である。図３に示すように、リモコン２０には、上移動キー４１０、下移動キー４２０、左移動キー４３０、右移動キー４４０、決定キー４５０、及びモード選択キー４６０が配置される。上移動キー４１０、下移動キー４２０、左移動キー４３０、及び右移動キー４４０をまとめて方向キーと呼ぶ。方向キー４１０〜４４０は、映像出力部１３０に表示されたポインタまたはカーソルを移動させる操作を実行するために操作される。モード選択キー４６０は、ポインタ操作モードとカーソル操作モードとを切り替えるために操作される。なお、ポインタ操作モードとは、映像出力部１３０に表示されたポインタを操作するモードであり、カーソル操作モードとは、映像出力部１３０に表示されたカーソルを操作するモードである。
【００２８】
＜（２）ポインタ移動処理＞
ここで、ポインタの移動処理について説明する。ポインタの移動処理については、入力キー２３０を利用したポインタ移動処理と、本実施形態の特徴である、ジャイロセンサ２５０を利用したポインタ移動処理とがある。まずは、通常のポインタ移動処理について説明し、その後、本実施形態の特徴であるポインタ移動処理について説明する。
【００２９】
ユーザがリモコン２０を操作すると、この操作に応答して映像出力部１３０の表示が変更される。例えば、ユーザがリモコン２０の上移動キー４１０を押下すると、入力キー２３０はこの操作を検出し、対応する操作入力信号をメインプロセッサ２１０に出力する。メインプロセッサ２１０は、上移動キー４１０が押下されたことに対応する無線信号を映像出力装置１０に送信するよう、無線通信部２２０に指示する。無線通信部２２０は、このメインプロセッサ２１０の指示に応答して、映像出力装置１０に対して無線信号を出力する。
【００３０】
映像出力装置１０の無線通信部１２０は、上記の無線信号を受信し、メインプロセッサ１１０にこの受信信号を出力する。メインプロセッサ１１０は、無線通信部１２０から入力された信号に基づいて、映像出力部１３０に表示されたポインタを上側に移動させるように表示を更新する信号を、映像出力部１３０に出力する。これによって、映像出力部１３０に表示されたポインタ３２０が上側に移動されるよう、その表示が更新される。
【００３１】
図４は、本実施形態で特徴的な、ジャイロセンサ２５０を利用したポインタの移動処理を示すフローチャートである。
【００３２】
＜Ｓ５００〜Ｓ５１０＞
ポインタ移動処理が開始されると（Ｓ５００）、メインプロセッサ２１０は、ユーザがリモコン２０を動かし、ジャイロセンサ２５０が変位（動き）を検出したか否かを確認する（Ｓ５１０）。ジャイロセンサ２５０が変位を検出しなかった場合（Ｓ５１０でＮ）、メインプロセッサ２１０はポインタ移動処理を終了する（Ｓ５５０）。
【００３３】
＜Ｓ５２０〜Ｓ５３０＞
ジャイロセンサ２５０が変位を検出した場合（Ｓ５１０でＹ）、メインプロセッサ２１０は、ここで方向キー４１０〜４４０のいずれかのキーが押下されているか否かを確認する（Ｓ５２０）。方向キー４１０〜４４０のいずれのキーも押下されていなかった場合（Ｓ５２０でＮ）、ジャイロセンサ２５０が検出した変位にあわせて、映像出力部１３０に表示されるポインタ３２０（図２参照）を移動させ（Ｓ５３０）、処理を終了する（Ｓ５５０）。この処理については、上記の入力キー２３０を利用したポインタ移動処理と同様である。すなわち、この処理は、メインプロセッサ２１０から無線通信部２２０を経て映像出力装置１０に無線信号が送信され、この無線信号に応答して、メインプロセッサ１１０が映像出力部１３０の表示内容を変更するよう指示する。
【００３４】
＜Ｓ５４０＞
一方で、方向キー４１０〜４４０のいずれかのキーが押下されていた場合（Ｓ５２０でＹ）、メインプロセッサ２１０はどのキーが押下されているのかを確認する。そして、メインプロセッサ２１０は、この方向キー４１０〜４４０の方向以外のポインタの動きに対応する、ジャイロセンサ２５０が検出した変位を０として（変位がなかったものとして）処理を行い（Ｓ５４０）、Ｓ５３０の処理に移行する。すなわち、ジャイロセンサ２５０が検出した変位が、押下されているいずれかの方向キー４１０〜４４０と同じ場合には、映像出力部１３０に表示されるポインタを該方向に移動させるが、逆に、ジャイロセンサが検出した変位が、押下されているいずれかの方向キー４１０〜４４０と異なる場合には、映像出力部１３０に表示されるポインタを移動させない処理が行われる。
【００３５】
次に、ユーザがジャイロセンサ２５０を利用してポインタを移動させる操作の具体例について説明する。
【００３６】
図５は、本実施形態におけるユーザ操作によるジャイロセンサ２５０を利用したポインタ移動の例を示す図である。図５（ａ）は最初の状態を示している。図５（ａ）に示すように、ユーザ６１０は、リモコン２０を手に持ち、映像出力装置１０の映像出力部１３０に向けている。この状態で、ユーザ６１０がポインタを右に移動させようとリモコン２０を右側に動かすと、ポインタが画面に向かって右側に移動するよう、映像出力部１３０の表示が更新される（図５（ｂ））。さらに、ユーザ６１０がポインタを右に移動させようとリモコン２０を右側に動かすと、ポインタが画面に向かってさらに右側に移動するよう、映像出力部１３０の表示が更新される（図５（ｃ））。
【００３７】
ここで、ユーザ６１０はポインタをさらに右側に移動させたいが、これ以上は腕を右側に回しづらい状態であったとする。このとき、ユーザ６１０は、リモコン２０の右移動キー４４０を押下し、その状態でリモコン２０を左側に移動させる（図５（ｄ））。このとき、上述のとおり、リモコン２０のメインプロセッサ２１０は、ジャイロセンサ２５０がリモコン２０の左側への変位を検出したものの、方向キー４１０〜４４０の右移動キー４４０が押下されているため、この変位を０として（なかったものとして）、ポインタの移動処理を実行する。これにより、方向キー４１０〜４４０の右移動キー４４０の押下がなければ左側に移動させるべきポインタの移動は行われない。
【００３８】
そして、ユーザ６１０がポインタをさらに右側に移動させるため、リモコン２０を右側に動かすと、ポインタは画面に向かって右側に移動するよう、映像出力部１３０の表示が更新される（図５（ｅ））。
【００３９】
＜（３）比較例＞
ここで、実施形態１の効果説明のための比較例について説明する。
【００４０】
図６は、比較例におけるユーザ操作によるジャイロセンサ２５０を利用したポインタ移動の例を示す図である。図６（ａ）乃至図６（ｃ）の状態については、実施形態で説明した図５（ａ）乃至図５（ｃ）の状態と同様であるため、ここではその説明を省略する。
【００４１】
図６（ｃ）の状態において、ユーザ６１０はポインタをさらに右側に移動させたいが、これ以上は腕を右側に回しづらい状態であったとする。ここで、リモコン２０が本実施形態の機能を有していなかった場合、または方向キー４１０〜４４０の入力がなされていなかった場合、ユーザ６１０がリモコン２０を左側へ移動させると、メインプロセッサ２１０は、ジャイロセンサ２５０がリモコン２０の左側への変位を検出し、この変位に合わせてポインタを左側に移動させるよう、映像出力部１３０の表示を更新する（図６（ｄ）、Ｓ５３０に相当）。このように、本比較例の機能では、ユーザが意図しない誤操作が発生することとなる。
【００４２】
＜（４）実施形態１の特長＞
上記のとおり、本実施形態によれば、ユーザがジャイロセンサを利用した操作で、第１方向（例えば右方向）にポインタを連続して移動させる操作を行う場合にも、第１方向（右方向）の逆方向（左方向）または別の方向（上下方向）にポインタが移動する誤操作を招くことなく、操作することが可能となる。これにより、ユーザの操作性を向上させることができる。
【００４３】
＜２．実施形態２＞
次に、本発明の実施形態２について、主に図７及び図８を参照しながら説明する。本実施形態は、実施形態１と比較して、ユーザが操作する対象がポインタからカーソルに変化している点である。実施形態１の、ユーザがポインタを操作する形態をポインタ操作モード、本実施形態の、ユーザがカーソルを操作する形態をカーソル操作モードといい、これら２通りのモードが切り替え可能であり、本実施形態はカーソル操作モードについて説明している。それ以外のシステム構成等については実施形態１と同様である。
【００４４】
図７は、映像出力部１３０の表示の一例を示す図である。図７に示すように、映像出力部１３０は、例えば、複数のアイコン３１０、及び現在選択中のアイコン３１０を指し示すカーソル３３０が表示される。
【００４５】
上記のとおり、本実施形態でのカーソルの移動処理は、実施形態１と比較して、操作対象がポインタからカーソルに変更されたものであり、実施形態１のポインタをカーソルと置き換えることで理解可能である。以下では、本実施形態で特徴的な部分について説明する。
【００４６】
図８は、本実施形態で特徴的な、ジャイロセンサ２５０を利用したカーソルの移動処理を示すフローチャートである。
【００４７】
＜Ｓ５００Ａ〜Ｓ５１０＞
カーソル移動処理が開始されると（Ｓ５００Ａ）、メインプロセッサ２１０は、ユーザがリモコン２０を動かし、ジャイロセンサ２５０が変位を検出したか否かを確認する（Ｓ５１０）。ジャイロセンサ２５０が変位を検出しなかった場合（Ｓ５１０でＮ）、メインプロセッサ２１０はカーソル移動処理を終了する（Ｓ５５０）。
【００４８】
＜Ｓ５２０〜Ｓ５３０Ａ＞
ジャイロセンサ２５０が変位を検出した場合（Ｓ５１０でＹ）、メインプロセッサ２１０は、ここで方向キー４１０〜４４０のいずれかのキーが押下されているか否かを確認する（Ｓ５２０）。方向キー４１０〜４４０のいずれのキーも押下されていなかった場合（Ｓ５２０でＮ）、ジャイロセンサ２５０が検出した変位にあわせて、映像出力部１３０に表示されるカーソル３３０（図７参照）を移動させ（Ｓ５３０Ａ）、処理を終了する（Ｓ５５０）。この処理については、入力キー２３０を利用したポインタ移動処理と同様である。すなわち、この処理は、メインプロセッサ２１０から無線通信部２２０を経て映像出力装置１０に無線信号が送信され、この無線信号に応答して、メインプロセッサ１１０が映像出力部１３０の表示内容を変更するよう指示する。
【００４９】
＜Ｓ５４０＞
一方で、方向キー４１０〜４４０のいずれかのキーが押下されていた場合（Ｓ５２０でＹ）、メインプロセッサ２１０はどのキーが押下されているのかを確認する。そして、メインプロセッサ２１０は、この方向キー４１０〜４４０の方向以外のカーソルの動きに対応する、ジャイロセンサ２５０が検出した変位を０として（変位がなかったものとして）処理を行い（Ｓ５４０）、Ｓ５３０Ａの処理に移行する。すなわち、ジャイロセンサ２５０が検出した変位が、押下されているいずれかの方向キー４１０〜４４０と同じ場合には、映像出力部１３０に表示されるカーソルを該方向に移動させるが、逆に、ジャイロセンサが検出した変位が、押下されているいずれかの方向キー４１０〜４４０と異なる場合には、映像出力部１３０に表示されるカーソルを移動させない処理が行われる。
【００５０】
上記のとおり、本実施形態によれば、ユーザがジャイロセンサを利用した操作で、第１方向（例えば右方向）にカーソルを連続して移動させる操作を行う場合にも、第１方向（右方向）の逆方向（左方向）または別の方向（上下方向）にカーソルが移動する誤操作を招くことなく、操作することが可能となる。これにより、ユーザの操作性を向上させることができる。
【００５１】
＜３．実施形態３＞
次に、本発明の実施形態３について説明する。本実施形態は、実施形態１と比較して、いずれかの方向キーが押下されていた場合には、すべての方向へのポインタの移動を禁止する点にある。すなわち、いずれかの方向キーが押下されていた場合に、当該方向と異なる方向へのポインタの移動のみならず、当該方向へのポインタの移動をも禁止するものである。
【００５２】
図９は、本実施形態における、ジャイロセンサ２５０を利用したポインタの移動処理を示すフローチャートである。実施形態１で説明した、ジャイロセンサ２５０を利用したポインタの移動処理と比較して、Ｓ５４０Ａの処理が変更となっており、それ以外の処理については同様であるため、ここではＳ５４０Ａの処理についての説明を行う。
【００５３】
＜Ｓ５４０Ａ＞
方向キー４１０〜４４０のいずれかのキーが押下されていた場合（Ｓ５２０でＹ）、メインプロセッサ２１０は、押下されている方向キー４１０〜４４０に関わらず、ジャイロセンサ２５０が検出した変位を０として（変位がなかったものとして）処理を行い（Ｓ５４０）、Ｓ５３０の処理に移行する。これにより、方向キー４１０〜４４０が押下されていた場合には、ジャイロセンサ２５０によるポインタの移動を禁止することができる。
【００５４】
本手段によれば、ユーザがいずれかの方向キー４１０〜４４０を押下することによって一時的にジャイロセンサを利用した操作を停止することが可能となり、意図しないポインタの移動を防止することができる。これにより、ユーザの操作性を向上させることができる。
【００５５】
なお、上記の実施形態３はポインタ操作モードについて説明しているが、実施形態２と組み合わせることで、カーソル操作モードについても同様に適用可能である。
【００５６】
＜４．補足事項＞
以上、本発明の実施形態１乃至実施形態３についての具体的な説明を行った。上記説明は、あくまで一実施形態としての説明であって、本発明の範囲はこの一実施形態に留まらず、当業者が把握可能な範囲にまで広く解釈されるものである。
【００５７】
例えば、実施形態３ではポインタの移動処理についての説明を行ったが、これはカーソルの移動処理にも同様に適用可能である。
【００５８】
また、各実施形態におけるリモコン２０は、各キーがボタン状になっており、これらのキーを押下することにより操作されていたが、これはタッチパネルのようなユーザによる接触を検出して操作されるものであってもよい。
【００５９】
また、各実施形態では、リモコン２０が備えるメインプロセッサ２１０がジャイロセンサ２５０の変位に対する処理を実行していたが、この処理は映像出力装置１０が備えるメインプロセッサ１１０が実行してもよい。この場合、リモコン２０からは、検出された入力キー２３０及びジャイロセンサ２５０の状態を映像出力装置１０に送信し、映像出力装置１０のメインプロセッサ１１０が、各実施形態でメインプロセッサ２１０が実行していた処理を実行することとなる。
【００６０】
また、映像出力装置１０は必ずしも映像出力部１３０を備える必要はなく、映像出力部１３０は外部装置として接続されてもよい。
【００６１】
また、実施形態の説明ではいずれもジャイロセンサ２５０が搭載される例について説明したが、これは必ずしも角速度を測定するジャイロセンサではなく、リモコンに搭載された動作検出デバイスの動きを検出可能な別のセンサ等に置き換えてもよい。
【産業上の利用可能性】
【００６２】
本発明は、ジャイロセンサを搭載したリモコン等に好適に適用される。
【符号の説明】
【００６３】
１０……映像出力装置
２０……リモコン
１１０……メインプロセッサ
１２０……無線通信部
１３０……映像出力部
１４０……メモリ
２１０……メインプロセッサ
２２０……無線通信部
２３０……入力キー
２４０……メモリ
２５０……ジャイロセンサ
３１０……アイコン
３２０……ポインタ
３３０……カーソル
４１０〜４４０……方向キー
４１０……上移動キー
４２０……下移動キー
４３０……左移動キー
４４０……右移動キー
４５０……決定キー
４６０……モード選択キー
６１０……ユーザ
【図１】
2015114780.tif 000003
【図２】
2015114780.tif 000004
【図３】
2015114780.tif 000005
【図４】
2015114780.tif 000006
【図５】
2015114780.tif 000007
【図６】
2015114780.tif 000008
【図７】
2015114780.tif 000009
【図８】
2015114780.tif 000010
【図９】
2015114780.tif 000011